(57)【要約】【課題】分解したり断水することなく、簡単に漏水検知器を点検できるようにする。【解決手段】給水管に設置される装置本体と、この装置本体内に設けられ、給水方向下流側から上流側へ向かう水の逆流を防止する逆流防止機構と、装置本体３の下部側に設けられた漏水検知器９とを具備し、漏水検知器９は、装置本体３に接続されるケーシング１２と、このケーシング１２内に設けられ、逆流防止機構の漏水を検知する検知部１３と、ケーシング１２の側壁部に設けられ、ケーシング１２内に通水するための通水管１１を着脱自在に接続させる接続口体１０とを具備し、通水管１１によるケーシング１２内への通水を検知部１３が検知するか否かに基づいて漏水検知器９を点検する。【選択図】      図２
2010174929.tif 000002
【特許請求の範囲】
【請求項１】
給水管に設置される装置本体と、
この装置本体内に設けられ、給水方向下流側から上流側へ向かう水の逆流を防止する逆流防止手段と、
前記装置本体の下部側に設けられた漏水検知器とを具備し、
前記漏水検知器は、前記装置本体に接続されるケーシングと、
このケーシング内に設けられ、前記逆流防止手段の漏水を検知する検知部と、
前記ケーシングの側壁部に設けられ、前記ケーシング内に通水するための通水管を着脱自在に接続させる接続手段とを具備し、
前記通水管による前記ケーシング内への通水を前記検知部が検知するか否かに基づいて前記漏水検知器を点検することを特徴とする逆流防止装置。
【請求項２】
前記通水管による通水を前記検知部が検知するのに基づいて警報を発生する警報手段を備えたことを特徴とする請求項１記載の逆流防止装置。
【請求項３】
前記接続手段は、前記通水管をネジ込ませて接続することを特徴とする請求項１または２記載の逆流防止装置。
【請求項４】
前記接続手段は、前記通水管をカップリングを介して接続することを特徴とする請求項１または２記載の逆流防止装置。
【発明の詳細な説明】
【技術分野】
【０００１】
本発明は、例えば、水道管などに設置される逆流防止装置に係わり、特に、その漏水検知構造に関する。
【背景技術】
【０００２】
近年、直結給水ポンプの普及は、省エネ性、清潔性を理由にその設置数が年々増加されている。直結給水ポンプには必ず逆流防止装置が付属されている（例えば、特許文献１参照。）。逆流防止装置は、例えば水道管が破裂した場合などには、上流側の水、特に汚水が逆流することを防止するようになっているが、この逆流防止装置は年１回の点検が必要とされている。
【０００３】
また、逆流防止装置には、その漏水を検知する漏水検知器が備えられているが、この漏水検知器も点検する必要がある。
【０００４】
従来、漏水検知器の点検を行なう場合には、漏水検知器を逆流防止装置から取り外して分解して点検したり、或いは、一次的に断水を行い、逆流防止装置の性能を確認するテストキットを用いて、第１逆止弁より一次側のテストコック及び第１逆止弁より二次側のテストコックを接続して差圧をなくすことによりダイヤフラムを動作させ、擬似的に漏水させて点検している。
【特許文献１】特開平１１−１５３３００号公報
【発明の開示】
【発明が解決しようとする課題】
【０００５】
しかしながら、前者の点検方法では、分解作業が必要になるため、点検作業が手間取るという問題があり、また、後者の点検方法では、断水させるため、点検時に給水ができなくなるという不都合があった。
【０００６】
本発明は上記事情に着目してなされたもので、その目的とするところは、分解したり、断水するといったことなく、漏水検知器を容易に点検できるようにした逆流防止装置を提供することにある。
【課題を解決するための手段】
【０００７】
上記課題を解決するため、請求項１記載の発明は、給水管に設置される装置本体と、この装置本体内に設けられ、給水方向下流側から上流側へ向かう水の逆流を防止する逆流防止手段と、前記装置本体の下部側に設けられた漏水検知器とを具備し、前記漏水検知器は、前記装置本体に接続されるケーシングと、このケーシング内に設けられ、前記逆流防止手段の漏水を検知する検知部と、前記ケーシングの側壁部に設けられ、前記ケーシング内に通水するための通水管を着脱自在に接続させる接続手段とを具備し、前記通水管による前記ケーシング内への通水を前記検知部が検知するか否かに基づいて漏水検知性能を点検することを特徴とする。
【発明の効果】
【０００８】
本発明によれば、漏水検知器を分解したり、断水するといったことなく、容易に点検できる。
【発明を実施するための最良の形態】
【０００９】
以下、本発明の実施の形態を図面を参照して詳細に説明する。  
図１は、本発明の一実施の形態である逆流防止装置１を示す構成図である。
【００１０】
逆流防止装置１は、水道管などの給水管２の中途部に設けられている。この逆流防止装置１は装置本体３を備え、この装置本体３の内部には公知の逆流防止手段としての逆流防止機構５が設けられている。
【００１１】
また、装置本体３の底面部には逆流防止機構５の漏水を検知する漏水検知器９が設けられている。この漏水検知器９は図２及び図３に示すように構成されている。即ち、図中１２は、円筒状のケーシングで、このケーシング１２内には漏水を検知する検知部１３が設けられている。検知部１３は検知電極１４，１５によって構成されている。検知電極１４，１５は送信回路１６を介して図４に示すように制御部１８に接続され、制御部１８には制御回路を介して警報手段としての警報部１９が接続されている。制御部１８は、検知電極１４，１５が漏水を検知するのに基づいて警報部１９を動作せて警報を発生させるようになっている。
【００１２】
ところで、漏水検知器９のケーシング１２の側壁上部側には接続手段としての接続口体１０が設けられ、この接続口体１０には漏水検知器９の点検時に、通水管１１が着脱自在に接続されるようになっている。
【００１３】
接続口体１０には図５に示すように雌ネジ部１０ａが形成され、通水管１１の先端部には雄ネジ部１１ａが形成されている。通水管１１はその雄ネジ部１１ａを接続口体１０の雌ネジ部１０ａにネジ込むことにより接続される。
【００１４】
上記した構成において、逆流防止機構５から漏水が生じた場合には、漏水した水が漏水検知器９のケーシング１２内に矢印ａで示すように流れてその内部の検知電極１４，１５によって検知される。この検知信号は送信回路１６を介して制御部１８へ送信され、制御部１８はこの送信に基づいて警報部１９を動作せて警報させ漏水を知らせる。
【００１５】
ところで、この漏水検知器９は年一回の点検が必要とされている。
【００１６】
次に、漏水検知器９の点検作業について説明する。
【００１７】
この点検時には、まず、ケーシング１２の接続口体１０の雌ネジ部１０ａに通水管１１の雄ネジ部１１ａをネジ込んで接続し、通水管１１から接続口体１０を介してケーシング１２内に図１に矢印ｂで示すように通水する。このケーシング１２内に通水された水が検知電極１４，１５によって検知された場合には、検知信号が送信回路１６を介して制御部１８に送信され、制御部１８は警報部１９を動作させて警報を発生させる。点検者は、この警報を聞くことにより、漏水検知性能は正常であると判断する。
【００１８】
また、通水管１１からケーシング１２内に通水しても検知電極１４，１５が通水を検知せず、警報部１９が警報を発声しない場合には、点検者は、漏水検知器９が異常であると判断する。この場合には、点検者は漏水検知器９を修理、或いは交換する。
【００１９】
上記したように、この実施の形態によれば、漏水検知器９のケーシング１２に接続口体１０を設け、この接続口体１０に通水管１１を接続し、通水管１１からケーシング１２内へ通水し、この通水を検知電極１４，１５が検知するか否かに基づいて漏水検知器９を点検するため、従来のように漏水検知器９を分解したり、断水させるといったことなく点検を行なうことができ、点検作業が容易になるととともに、断水を回避することができる。
【００２０】
図６は、他の実施例である接続口体１０と通水管１１との接続構造を示すものである。
【００２１】
この実施例では、接続口体１０と通水管１１とをカップリング２１を介して着脱自在に接続している。
【００２２】
カップリング２１は雄、雌のカップリング部２１ａ，２１ｂを有してなり、接続口体１０の先端部に雌側のカップリング部２１ｂが取り付けられ、通水管１１の先端部に雄側のカップリング部２１ａが取り付けられている。
【００２３】
雄側のカップリング部２１ａの外周壁面部には突没自在にベアリング２２が配設され、雌側のカップリング部２１ｂの内周壁面部にはベアリング２２を嵌合させる凹部２３が形成されている。
【００２４】
通水管１１は、その雄側のカップリング部２１ａを接続口体１０の雌側のカップリング２１ｂ内に挿入してそのベアリング２２を雌側のカップリング部２１ｂの凹部２３内に嵌合させることにより接続される。
【００２５】
この実施例によっても上記した第１の実施例と同様の作用効果を奏する。
【００２６】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００２７】
【図１】本発明の一実施の形態である逆流防止装置を示す構成図。
【図２】図１の漏水検知器を示す側断面図。
【図３】図１の漏水検知器を示す平面図。
【図４】図１の漏水検知器の漏水検知を警報する警報部の制御系を示す図。
【図５】図１の漏水検知器の接続口体と通水管との接続構造を示す図。
【図６】図１の漏水検知器の接続口体と通水管との他の接続構造を示す図。
【符号の説明】
【００２８】
２…給水管、３…装置本体、５…逆流防止機構（逆流防止手段）、１０…接続口体（接続手段）、１０ａ…雌ネジ部、１１…通水管、１１ａ…雄ネジ部、１３…ケーシング、１４，１５…検知電極（検知部）、１９…警報部（警報手段）、２１…カップリング。
【図１】
2010174929.tif 000003
【図２】
2010174929.tif 000004
【図３】
2010174929.tif 000005
【図４】
2010174929.tif 000006
【図５】
2010174929.tif 000007
【図６】
2010174929.tif 000008